(57)【要約】【課題】  すでに構成された共有空間構造体の隣り合うポールとフレームとに囲まれた面の全体に容易にパネルを設けることが可能な共有空間構造体におけるパネル体取付構造を提供すること。【解決手段】  硬質部３０ａと軟質部３０ｂを備える端部連結部材３０がポール３ａ、３ｄに設けられ、硬質部３１ａと軟質部３１ｂを備える中間連結部材３１がパネル体２０ｂの側端部２４に設けられることで、これら端部連結部材３０及び中間連結部材３１の軟質部３０ｂ、３１ｂによって、それぞれのパネル体２０ａ、２０ｂ、２０ｃの側端部２４が保護され、また、容易に共有空間構造体１に各パネル２０ａ、２０ｂ、２０ｃを取り付ける事ができる。【選択図】  図７
2005139805.tif 000002
【特許請求の範囲】
【請求項１】
共有空間構造体の外郭を画定する所定位置から立設したポールと、隣り合う前記ポールの上端にそれぞれ連結することで、ほぼ水平状態に支持されるフレームとの組み合わせから成る共有空間構造体における隣り合うポールとフレームとに囲まれた面を、左右方向に並ぶ複数のパネル体により閉塞するようにした共有空間構造体におけるパネル体取付構造であって、前記各パネル体の両側端面には上下方向に延びる溝条が設けられるとともに、隣り合うパネル体間には、一方のパネル体の溝条に係合される硬質部と、他方のパネル体の溝条に嵌まる前後方向に弾性変形可能な軟質部とを有する中間連結部材が、一方、前記ポールと該ポールに隣接するパネル体の間には、ポールに取り付けられる硬質部と、パネル体の溝条に嵌まる前後方向に弾性変形可能な軟質部とを有する端部連結部材が、設けられていることを特徴とする共有空間構造体におけるパネル体取付構造。
【請求項２】
中間連結部材および端部連結部材は、軟質部として機能する軟質樹脂と、硬質部として機能する硬質樹脂とが２色成形法で一体成形されている請求項１に記載の共有空間構造体におけるパネル体取付構造。
【請求項３】
共有空間構造体における隣り合うポールとフレームとに囲まれた面を閉塞するように左右方向に並べられた複数のパネル体と中間連結部材および端部連結部材の総横幅長が、隣り合うポールとフレームとに囲まれた面の横幅長よりも長く構成され、前記閉塞時に硬質部と軟質部との嵌込みによる重なりで前記軟質部の一部が上下方向に露出する構造になっている請求項１に記載の共有空間構造体におけるパネル体取付構造。
【請求項４】
ポールには上下方向に延びる溝部が設けられており、該溝部に、端部連結部材の硬質部が係合されて固定されている請求項１乃至３のいずれかに記載の共有空間構造体におけるパネル体取付構造。
【発明の詳細な説明】
【技術分野】
【０００１】
本発明は、共有空間構造体の外郭を画定する所定位置から立設したポールと、隣り合う前記ポールの上端にそれぞれ連結することで、ほぼ水平状態に支持されるフレームとの組み合わせから成る共有空間構造体における隣り合うポールとフレームとに囲まれた面を、左右方向に並ぶ複数のパネルにより閉塞するようにした共有空間構造体におけるパネル体取付構造に関する。
【背景技術】
【０００２】
近年、オフィス等のオープン化を図り、コミュニケーションを活発化させるということが唱えられ初められており、一般に、天井から床まで柱を立てて、柱の間を壁で覆うようにして部屋を造るようにしたもの、或いはパーティションにより空間を間仕切り所要のスペースを得るようにしたもの等が従来より知られている。
【０００３】
本出願人は、これらはオフィス等のオープン化によるコミュニケーションの活発化という目的を達成するための解放された空間構造体として、床の所定位置にベース部材を設置し、それぞれのベース部材にポールを立設させ、互いのポールの上端にフレーム部材を係合させ、フレーム部材をほぼ水平状態に支持させることにより、それ以外の外部空間と充分開放された関係で連接している構造体（以下、共有空間構造体と定義する。）を提案している（例えば、特許文献１参照。）。
【０００４】
【特許文献１】特開２００２−１３８６９３号公報（段落００１１、第１図）
【発明の開示】
【発明が解決しようとする課題】
【０００５】
しかしながら、特許文献１のように、既に構成された共有空間構造体の隣り合うポールとフレームとに囲まれた面の全体にパネルを取り付ける場合にあっては、労力と手間がかかり、無理にパネルを嵌め込もうとするとパネルの側端面がポールに接触して傷が生じることや、取付作業員がパネルを取り付ける際に怪我を生じる恐れがあった。
【０００６】
本発明は、このような問題点に着目してなされたもので、すでに構成された共有空間構造体の隣り合うポールとフレームとに囲まれた面の全体に容易にパネルを設けることが可能で、パネルを取り付ける際に取付作業員の安全性をも考慮した共有空間構造体におけるパネル体取付構造を提供することを目的とする。
【課題を解決するための手段】
【０００７】
上記課題を解決するために、本発明の請求項１に記載の共有空間構造体におけるパネル体取付構造は、共有空間構造体の外郭を画定する所定位置から立設したポールと、隣り合う前記ポールの上端にそれぞれ連結することで、ほぼ水平状態に支持されるフレームとの組み合わせから成る共有空間構造体における隣り合うポールとフレームとに囲まれた面を、左右方向に並ぶ複数のパネル体により閉塞するようにした共有空間構造体におけるパネル体取付構造であって、前記各パネル体の両側端面には上下方向に延びる溝条が設けられるとともに、隣り合うパネル体間には、一方のパネル体の溝条に係合される硬質部と、他方のパネル体の溝条に嵌まる前後方向に弾性変形可能な軟質部とを有する中間連結部材が、一方、前記ポールと該ポールに隣接するパネル体の間には、ポールに取り付けられる硬質部と、パネル体の溝条に嵌まる前後方向に弾性変形可能な軟質部とを有する端部連結部材が、設けられていることを特徴としている。
この特徴によれば、端部連結部材の軟質部及び中間連結部材の軟質部によって、それぞれのパネル体の側端部が保護されながら、容易に共有空間構造体に各パネルを取り付ける事ができるとともに、例えば、取付作業員がパネル体の取り付け作業中にポールや他のパネル体の間に誤って手を挟んでも手が軟質部によって保護される。
【０００８】
本発明の請求項２に記載の共有空間構造体におけるパネル体取付構造は、請求項１に記載の共有空間構造体であって、中間連結部材および端部連結部材は、軟質部として機能する軟質樹脂と、硬質部として機能する硬質樹脂とが２色成形法で一体成形されていることを特徴としている。
この特徴によれば、硬質部と軟質部とを連結する手間が省け、中間連結部材および端部連結部材の硬質部をパネル体及びポールに係合させるだけで、ポール及びパネル体の側面に軟質部を露出させ配設することができる。
【０００９】
本発明の請求項３に記載の共有空間構造体におけるパネル体取付構造は、請求項１に記載の共有空間構造体であって、共有空間構造体における隣り合うポールとフレームとに囲まれた面を閉塞するように左右方向に並べられた複数のパネル体と中間連結部材および端部連結部材の総横幅長が、隣り合うポールとフレームとに囲まれた面の横幅長よりも長く構成され、前記閉塞時に硬質部と軟質部との嵌込みによる重なりで前記軟質部の一部が上下方向に露出する構造になっていることを特徴としている。
この特徴によれば、ポールとポール間を閉塞するように複数のパネル体を嵌め込む際に、常に軟質部が余るようになるため、全てのパネルをポールとポール間に形成される空間に対して正面から嵌められることにより、組立てが容易となる。またパネル体の取り外し時にも、軟質部に手の指を挿入して容易に外せる効果もある。
【００１０】
本発明の請求項４に記載の共有空間構造体におけるパネル体取付構造は、請求項１乃至３のいずれかに記載の共有空間構造体であって、ポールには上下方向に延びる溝部が設けられており、該溝部に、端部連結部材の硬質部が係合されて固定されていることを特徴としている。
この特徴によれば、端部連結部材をポールの上下方向に確実に係合させて取り付けを行うことができる。
【発明を実施するための最良の形態】
【００１１】
本発明の実施例を以下に説明する。
【００１２】
以下、本発明の実施例を図面に基づいて説明すると、まず図１にはワークスペースとして構築した共有空間構造体１の全体図が示されており、この共有空間構造体１は、主にポール３（この実施例では６本示されており、３ａ、３ｂ、３ｃ、３ｄ、３ｅ、３ｆとする）と、フレーム４１と、一部に下部受材３５とが組み合わされて構築されている。
【００１３】
本実施例のフレーム４１は、主に補強部材としての第１フレーム部材４と、後述するように補強および案内レールそしてパネル支持部として機能する第２フレーム部材６から構成されている。
【００１４】
共有空間構造体１を構成する最小共有空間構造体の単位は、図１に示されるように、４本のポール３ａ〜３ｄと、４本のフレーム４１と、下部受材３５から成る空間構造体が、それ以外の外部空間と充分開放された関係で連接できる構造体（最小共有空間構造体）であることをいう。さらに最小共有空間構造体に２本のポール３ｅ、３ｆと、３本の第１フレーム部材４、３本のフレーム４１、下部受材３５から成る空間構造体を連接することで、共有空間構造体１’が共有空間構造体１に接続されるように構成されている。
【００１５】
即ち、本実施例の共有空間構造体１ではポール３ａ、３ｂ及びフレーム４１で囲まれた部分、ポール３ｂ、ポール３ｃ及びフレーム４１で囲まれた部分及び、上部の４本のフレーム４１で囲まれた部分、の３箇所の部分が外部空間と開放された関係で連接され、ポール３ｄ、ポール３ｃ及びフレーム４１で囲まれた部分が隣接する共有空間構造体１’に連接され、共有空間が拡張されている。
【００１６】
ポール３ａ、３ｄ及びフレーム４１、下部受材３５で囲まれた部分、ポール３ｄ、３ｅ及びフレーム４１、下部受材３５で囲まれた部分、ポール３ｅ、３ｆ及びフレーム４１、下部受材３５で囲まれた部分には、それぞれパネル体２０ａ、パネル体２０ｂ、パネル体２０ｃからなるパネル体２０が設けられていて、共有空間構造体１、１’の一部が閉鎖的な形になっているが、パネル体２０の調設は自由である。
【００１７】
また、対角に位置する対向する２本のポール３間には、後述する線材４０が２本交差するように掛け渡されており、共有空間構造体１、１’のそれぞれの上面視方形を構成する４本のフレーム４の補強部材となっている。
【００１８】
また、共有空間構造体１、１’の床面７にはテーブル５０と椅子５２が配置され、ポール３ａ、３ｂ、ポール３ｄ、３ｃ、ポール３ｅ、３ｆ間の第１フレーム部材４には照明灯５１が設けられており、例えば、パネル体２０に資料やグラフを貼付したり、テーブル５０で作業をしたりと、共有空間構造体１の使用目的に応じて、付属物を配設し使い勝手の良いものにすることができるようになっている。
【００１９】
なお、本実施例では最小単位の共有空間構造体を構成する共有空間構造体１、１’を組み合わせて共有空間の広さを拡張しているが、利用する共有空間構造体の広さに応じて、これら最小共有空間構造体を複数組み合わせれば良い。
【００２０】
次に、本実施例で使用されている共有空間構造体１の具体的な構造について説明する。図２にはポール３ａ、フレーム４１の一部である第１フレーム部材４及び第２フレーム部材６、下部受材３５、端部連結部材３０、アジャスタ２の分解組立図が示されている。第１フレーム部材４は、中空管のアッパービーム４ａとローワビーム４ｂとを中間材４ｃの上下端にそれぞれ溶接して構成されている。第２フレーム部材６は、上端に上向凹溝６ｃ、下端に下向凹溝６ｄがそれぞれ長手方向に形成されており、長手方向の側面にパネル体２０を固定するためのネジ受溝６ｅが形成され、端部の上下にボルト孔６ｆが形成されている。
【００２１】
アッパービーム４ａとローワビーム４ｂの端部には、ボルトを介して止着部材１２が取り付けられ、止着部材１２は、下方に延出しており、ここに第２フレーム部材６がボルト孔６ｆにボルト止めされ、第１フレーム部材４と第２フレーム部材６は一体となりフレーム４１が構成される。
【００２２】
このフレームをポール３ａに取り付けるには、図３（ａ）に示されるように、ポール３に形成される溝部９の上端から取付材１１を下方に挿通させていき、取付材１１の頭部に形成された係止頭部１１ａがポール３ａの上端に引っ掛かるまで挿通させる。そして、止着材１２を取付材１１に形成される螺合孔（図示略）を利用して、ボルト（図示略）を締めることで、ポール３ａ形成される係止片１０が取付材１１と止着部材１２とで挟持されて、ポール３ａの上部にフレームが取り付けられる。
【００２３】
図２に示されるように、下部受材３５の上端には長手方向に溝条３５ａが形成され、この下部受材３５の端部には、Ｌ字に形成された止着部材３７がボルトを介して取り付けられている。この下部受材３５をポール３ａに取り付けるには、図３（ｂ）に示されるように、ポール３の溝部９の下端から下部受材３５を上方に挿通させ、止着材３７を取付材３６に形成される螺合孔（図示略）を利用して、ボルトを締めることで、ポール３に形成される係止片１０が取付材３６と止着部材３７とで挟持されて、ポール３ａの上部に下部受材３５が取り付けられる。
【００２４】
図２に戻り、ポール３ａの中心部には雌ネジ部３Ｘが形成されており、ポール３ａの下端側からアジャスタ２のネジ部材２ａを雌ネジ部３Ｘに螺合させることでアジャスタ２が取り付けられポール３ａの高さ調整が行えるようになっており、床面７が多少変形或いは傾斜していても常にフレームを水平状態に維持できるように構成されている。
【００２５】
また、ポール３ａの上端側からカバー部材（図示略）の下部に形成された螺合雄ネジ（図示略）を雌ネジ部３Ｘに螺合させることでカバー部材が取り付けられ、取付材１１の係止頭部１１ａがカバー部材によりおさえられ、第１フレーム部材４の上方への抜け出しが阻止できるようになっている。
【００２６】
ポール３ａに取り付けられた取付材１１と取付材３６の間の溝部９には、端部連結部材３０が係合されており、この端部連結部材３０は後述するパネル体２０を案内及び閉鎖するためのものであり、この端部連結部材３０の取付構造について以下に詳述する。
【００２７】
図４に示されるように、本実施例のポール３ａの断面形状は、円周に外側部が若干拡がった略Ｕ字状の８つの溝部９が上下方向に延びており、各溝部９の外方を向く開口９ａの左右両側に、遊端が互いに向き合って離間する左右の係止片１０により溝部９の一部が覆われている。本実施例において溝部９は円柱状のポールに形成しているため、比較的多くの溝部９を形成でき、そのために第１フレーム部材４の取付け方向が選択できる。また、ポール形状は円柱状と限らず、例えば四角柱状のもので４つの溝を形成するようにしたものであってもよい。
【００２８】
端部連結部材３０は、弾性を有する硬質樹脂から構成される硬質部３０ａと、弾性を有する軟質樹脂から構成される軟質部３０ｂとが２色成形法で一体成形されており、硬質部３０ａは先端が４股のフォーク状に延出しており、内方の２股の先端には外方に向くように係止爪３０ｃが形成され、外方の２股の先端は内方の２股よりも若干短くなっている。
【００２９】
ポール３ａの溝部９に端部連結部材３０を取り付ける際には、硬質部３０ａの係止爪３０ｃを開口９ａに向けて強く押圧して嵌め込むことで、係止片１０が内方２股の係止爪３０ｃと外方２股の先端に挟持され、端部連結部材３０が溝部９に固定される。一方、軟質部３０ｂは、パネル体２０の側端枠２４に形成された溝条２４ｂに収納される程度の大きさで形成されており、外圧が加えられると弾性変形可能になっており、外圧から解放されると元の形状に弾性復帰するようになっている。
【００３０】
このように、端部連結部材３０に軟質部３０ｂが設けられることで、共有空間構造体１の枠体に取り付けられた際に、パネル体２０の側端枠２４が軟質部３０ｂによって保護されるようになっている。
【００３１】
以上のように、フレーム４１、下部受材３５、端部連結部材３０、アジャスタ２のポール３ａへの組付構造を説明をしたが、同様に他の複数のポール３ｂ、３ｃ、３ｄ、３ｅ、３ｆにも同様の手順により、これら各種部材（フレーム４１、下部受材３５、端部連結部材３０、アジャスタ２）の取り付けを行うことで、共有空間構造体１を構成することができる。
【００３２】
次に、共有空間構造体１に設けられたパネル体２０の説明をパネル体２０ａを例として以下に説明する。なお、パネル体２０ｂとパネル体２０ｃはパネル体２０ａと略同様の構成のため説明を省略する。
【００３３】
図５（ａ）に示されるように、パネル体２０ａは、パネル板２２と、パネル板２２の周縁を構成する４本の枠体である上端枠２５、下端枠２６、左右の側端枠２４と、これら４本の枠体のコーナ部を連結する４つのコーナ連結部材２７から構成されている。
【００３４】
コーナ連結部材２７は、矩形状のパネル板２２の４箇所のコーナ部にそれぞれ装着されるもので、パネル板２２外周の４辺に装着される上端枠２５、下端枠２６ないし左右の側端枠２４の端部同士を連結するようになっている。そこで、パネル体２０ａの外周縁を構成する枠体である上端枠２５、下端枠２６、左右の側端枠２４の連結構造を図５（ｂ）を用いて詳しく説明する。
【００３５】
コーナ連結部材２７の交差する両端に形成された連結棒２７ｂは、それぞれ上端枠２５と側端枠２４の端部に形成される接続穴２５ｃ、２４ｃに嵌入可能に形成されている。嵌入された連結棒２７ｂは、上端枠２５と側端枠２４に形成された２つの挿通孔（図示略）を介して挿通した連結ボルト２７ｅを連結棒２７ｂに形成される螺合孔（図示略）螺着することで上端枠２５と側端枠２４がコーナ連結部材２７を介して連結される。同様に下端枠２６と側端枠２４との連結も、コーナ連結部材２７を介して連結される。
【００３６】
そこで、図５（ａ）、（ｂ）に示すように、これら連結された上端枠２５、下端枠２６ないし左右の側端枠２４、コーナ連結部材２７の内面側には、パネル板２２を取り付けるためのパネル溝２５ａ、２６ａ、２４ａ、２７ａが形成されており、パネル板２２の４辺がこれたパネル溝２５ａ、２６ａ、２４ａ、２７ａに嵌合されることでパネル板２２が取り付けられおり、パネル板２２の外周縁を保護するための枠体が構築されるようになっている。
【００３７】
このようにして構成されたパネル体２０ａの上端枠２５には、Ｌ字形の連結片２３が予め上端枠２５に形成された一対のネジ孔（図示略）に２本のボルト２３ｂを介して固定されている。この連結片２３には後述において説明するパネル体２０ａを第２フレーム部材６に取り付けるための連結孔２３ａが形成されている。
【００３８】
パネル体２０ａの下端枠２６の両端に連結されたコーナ連結部材２７には、螺合溝２７ｃが形成されており、パネル体２０ａの高さ調節を行う調整部材であるジャッキボルト２８が螺合されている。この左右下端に設けられたジャッキボルト２８を介して、パネル体２０ａが支持されるようになっている。なお、ジャッキボルト２８の下端部は、前述の床面７上に敷設された下部受材３５の上端に形成された溝条３５ａ内に載置可能な形状になっている（図２参照）。
【００３９】
上記において説明したパネル体２０ａを共有空間構造体１に取り付けるには、図６に示されるように、上端枠２５に設けられた一対の連結片２３を第２フレーム部材６の下向凹溝６ｄに挿入させ、上端枠２５が第２フレーム部材６に水平になるように持ち上げていき、下端枠２６の両端部のコーナー連結部材２７に設けられたジャッキボルト２８を下部受材３５の溝条３５ａに嵌合させる。
【００４０】
このように、ジャッキボルト２８の下端を下部受材３５の溝条３５ａに嵌合させるだけで、パネル体２０ａの設置場所の位置合わせの調整を行う必要がなく、パネル体２０ａを容易に下部受材３５に取り付けることができるとともに、ジャッキボルト２８の下端の嵌合により下部受材３５からパネル体が外れる恐れもない。このようにポール３ａ方向に向かってパネル体２０ａを端部連結部材３０に当接する位置まで移動させることで取り付けが完了する。同様の取付手順で共有空間構造体１の枠体にパネル体２０ｂとパネル体２０ｃが取り付けられ、本実施例の共有空間構造体１が構成される。
【００４１】
ついで、パネル体２０ａの共有空間構造体１の枠体への取り付けの後に、取り付けられるパネル体２０ｂ、パネル体２０ｃの取り付け手順を図７（ａ）（ｂ）及び図８に基づいて、以下に詳細に説明する。
【００４２】
まず、図７（ａ）に示されるように、パネル体２０ｂの左右の側端枠２４の溝条２４ｂには、中間連結部材３１が係合されている。この中間連結部材３１は硬質樹脂から構成される硬質部３１ａと、軟質樹脂から構成される軟質部３１ｂとが２色成形法で一体成形されており、硬質部３１ａは先端が２股のフォーク状に延出しており、この２股の先端には外方に向くように係止爪３１ｃが形成されている。
【００４３】
側端枠２４の溝条２４ｂに中間連結部材３１を取り付ける際には、硬質部３１ａの係止爪３１ｃを溝条２４ｂの開口に向けて強く押圧して嵌め込むことで、溝条２４ｂに形成された係止溝（図示略）に係止爪３１ｃが係合して、中間連結部材３１が側端枠２４に固定される。一方、軟質部３１ｂは、パネル体２０ａとパネル体２０ｃの側端枠２４に形成された溝条２４ｂに収納される程度の大きさで形成されており、外圧が加えられると弾性変形可能になっており、外圧から解放されると元の形状に弾性復帰するようになっている。
【００４４】
そして、このパネル体２０ｂを前述したパネル体２０ａの取り付けと同様に（図６参照）、矢印の示す方向に移動させていくことで、パネル体２０ａの右側の側端枠２４ｂの溝部２４ｂに中間連結部材３１の軟質部３１ｂが収納されていき、硬質部３１ａがパネル体２０ａの側端枠２４ｂの端部に当接して、パネル体２０ｂの取り付けが完了する。
【００４５】
つづいて、図７（ｂ）に示されるように、パネル体２０ｃを矢印の示す方向に移動させていくと、パネル体２０ｃの左右の側端枠２４が軟質部３１ｂ、軟質部３０ｂに当接して、軟質部３１ｂ、軟質部３０ｂが弾性変形を生じて、左右の側端枠２４に抵抗を加えるが、さらにパネル体２０ｃを矢印方向に強く押し込むことで、図８に示されるように、パネル体２０ｃがパネル体２０ｂとポール３ｄとの間に嵌り込み取り付けが完了する。
【００４６】
パネル体２０ｃが取り付けられた際には、前記の弾性変形を生じた軟質部３１ｂ、軟質部３０ｂは弾性復帰して、左右の側端枠２４に形成される溝条２４ｂに収納されるようになっている。
【００４７】
このように、端部連結部材３０の軟質部３０ｂ及び中間連結部材３１の軟質部３１ｂによって、それぞれのパネル体２０の側端枠２４が保護されながら、容易にパネル体２０ｃを共有空間構造体１に取り付ける事ができるとともに、例えば、取付作業員がパネル体２０ｃの取り付け作業中に他のパネル体２０ｂやポール３の間に誤って手を挟んでも手が軟質部３０ｂ、３１ｂによって保護されるようになっている。
【００４８】
さらに、これら軟質部３０ｂ、３１ｂの一部が上下方向に露出する構造になっているので、ポール３ａとポール３ｄ間を閉塞するように複数のパネル体２０ａ、２０ｂ、２０ｃを共有空間構造体１に嵌め込む際に、常に３０ｂ、３１ｂが余るようになるため、全てのパネル２０ａ、２０ｂ、２０ｃをポール３ａ、３ｄ間に形成される空間に対して正面から嵌められることにより、組立てが容易となる。また、それぞれのパネル体２０ａ、２０ｂ、２０ｃの取り外し時にも、軟質部３０ｂ、３１ｂに手の指を挿入することで容易に外すことができる。
【００４９】
しかも、ポール３ａ、３ｄに係着された端部連結部材３０の軟質部３０ｂは、パネル体２０ａ、パネル体２０ｃの側端枠２４の溝条２４ｂに収納されるので、端部連結部材３０の硬質部３０ａと側端枠２４との間に隙間Ｌが生じた場合でも、共有空間構造体１は見た目上における閉塞状態となっており、例えば、外部の空間からの光が隙間Ｌを通過することがない。
【００５０】
同様に、中間連結部材３１の硬質部３１ａと側端枠２４との間に隙間（図示略）が生じることがあっても、軟質部３１ｂがパネル体２０ａ、パネル体２０ｃの側端枠２４の溝部２４ｂに収納されるので、共有空間構造体１内は見た目上における閉塞状態になる。
【００５１】
以上、本発明の実施例を図面により説明してきたが、具体的な構成はこれら実施例に限られるものではなく、本発明の要旨を逸脱しない範囲における変更や追加があっても本発明に含まれ、上記実施例では、端部連結部材３０および中間連結部材３１の軟質部と硬質部３１を２色成形法で一体成形しているが、本発明はこれに限定されるものではなく、例えば軟質部３０ｂ、３１ｂと硬質部３０ａ、３１ａを接着剤等で溶着して端部連結部材３０および中間連結部材３１を構成するようにしても良い。
【００５２】
また、上記実施例では、パネル２０ａ、パネル２０ｂを左右のポール３ａ、３ｄとフレーム（第１フレーム部材４、第２フレーム部材６）、そして下部受材３５とで囲まれた面に取り付けた後、パネル２０ｃをポール３ｄとパネル２０ｂの間に嵌め込むようにして取り付けを行っているが、本発明はこれに限定されるものではなく、例えばパネル２０ａとパネル２０ｃを取り付けた後に、これらパネル体２０の間にパネル２０ｂを嵌め込むようにしても良い。
【００５３】
また、上記実施例では、ポール３に上下方向に延びる溝部９が形成されることで、端部連結部材３０が取り付け易い構成になっているが、本発明はこれに限定されるものではなく、他の取り付け方法及び構成をもちいて端部連結部材３０をポール３に取り付けるようにしても良い。
【図面の簡単な説明】
【００５４】
【図１】本発明の共有空間構造体の全体斜視図である。
【図２】ポール、フレーム、下部受材、端部連結部材の分解組立斜視図である。
【図３】（ａ）は、図２に示すポールにフレームが取り付けられたＡ−Ａ平面断面図である。  （ｂ）は、図２に示すポールに下部受材が取り付けられたＢ−Ｂ平面断面図である。
【図４】図２に示すポールに端部連結部材が取り付けられたＣ−Ｃ線の平面断面図である。
【図５】（ａ）は、パネル体の正面図である。  （ｂ）は、パネル体の分解組立正面図である。
【図６】共有空間構造体にパネル体を取り付ける取付過程を示す正面図である。
【図７】（ａ）は、図６に示すＤ−Ｄ線の平面断面図である。  （ｂ）は、パネル体の取付過程を示す平面断面図である。
【図８】共有空間構造体に設けられたパネル体、パネル体、パネル体を示す平面断面図である。
【符号の説明】
【００５５】
１、１’    共有空間構造体
２          アジャスタ
２ａ        ネジ部材
３          ポール
３ａ、３ｂ、３ｃ、３ｄ、３ｅ、３ｆ    ６本の各ポール
３Ｘ        雌ネジ部
４          第１フレーム部材（フレームの一部）
４ａ        アッパービーム
４ｂ        ローワビーム
４ｃ        中間材
６          第２フレーム部材（フレームの一部）
６ｃ        上向凹溝
６ｄ        下向凹溝
６ｅ        ネジ受溝
６ｆ        ボルト孔
７          床面
８          取付ネジ
９          溝部
９ａ        開口
１０        係止片
１１        取付材
１１ａ      係止頭部
１２        止着部材
２０        パネル体
２０ａ      パネル体
２０ｂ      パネル体
２０ｃ      パネル体
２２        パネル板
２３        連結片
２３ａ      連結孔
２３ｂ      ボルト
２４        側端枠（枠体の一部）
２４ａ      パネル溝
２４ｂ      溝条
２４ｃ      接続穴
２５        上端枠（枠体の一部）
２５ａ      パネル溝
２５ｃ      接続穴
２６        下端枠（枠体の一部）
２６ａ      パネル溝
２６ｃ      接続穴
２７        コーナ連結部材（枠体の一部）
２７ａ      パネル溝
２７ｂ      連結棒
２７ｃ      螺合溝
２７ｅ      連結ボルト
２８        ジャッキボルト（調整部材）
２９        パネル本体
３０        端部連結部材
３０ａ      硬質部
３０ｂ      軟質部
３０ｃ      係止爪
３１        中間連結部材
３１ａ      硬質部
３１ｂ      軟質部
３１ｃ      係止爪
３５        下部受材
３５ａ      溝条
３６        取付材
３７        止着部材
４０        線材
４１        フレーム
５０        テーブル
５１        照明灯
５２        椅子
Ｌ          隙間
【図１】
2005139805.tif 000003
【図２】
2005139805.tif 000004
【図３】
2005139805.tif 000005
【図４】
2005139805.tif 000006
【図５】
2005139805.tif 000007
【図６】
2005139805.tif 000008
【図７】
2005139805.tif 000009
【図８】
2005139805.tif 000010